(57)【要約】【課題】本発明は、石薬の一種として知られている麦飯石を砂粒として利用した温熱砂風呂装置を提供し、天然温泉と同等或いはそれ以上の健康維持効果・薬効効果を発揮させる砂風呂を提供せんとするものである。【解決手段】ヒーターや温水や熱風など人工的に温めることのできる加熱手段を備えた浴槽体内に、砂状又は粒状にした麦飯石を天然砂と混合した混合砂を充填させて砂風呂となし、当該砂風呂の混合砂を前記加熱手段で人工的に適温に温めて、当該砂風呂利用者に温熱作用を与えるとともに、麦飯石と天然砂が有するミネラル成分や無機質成分の物理的吸着作用と化学的吸着作用と遠赤外線放射作用とマイナスイオン発生作用とを与えることにより、当該砂風呂利用者の生理活性と細胞活性を促進し健康維持するようにしたことを特徴とする温熱砂風呂装置である。 【選択図】      図１
2005334434.tif 000002
【特許請求の範囲】
【請求項１】
ヒーターや温水や熱風など人工的に温めることのできる加熱手段を備えた浴槽体内に、
砂状又は粒状にした麦飯石を天然砂と混合した混合砂を充填させて砂風呂となし、
当該砂風呂の混合砂を前記加熱手段で人工的に適温に温めて、当該砂風呂利用者に温熱作用を与えるとともに、麦飯石と天然砂が有するミネラル成分や無機質成分の物理的吸着作用と化学的吸着作用と遠赤外線放射作用とマイナスイオン発生作用とを与えることにより、当該砂風呂利用者の生理活性と細胞活性を促進し健康維持するようにしたことを特徴とする温熱砂風呂装置。
【請求項２】
ヒーターや温水や熱風など人工的に温めることのできる加熱手段を備えた浴槽体内に
花崗岩質ペグマタイトのうち石英斑岩であって、その石灰岩質から解離された炭酸ガスが、熱水溶液とともに低変性条件下で作用することにより、珪酸塩鉱物の一部が、方解石・ドロマイト・菱鉄鉱などの炭酸塩鉱物に交代された岩石を砂状または粒状に砕石してなる鉱石砂と、天然砂とを混合してなる混合砂を、前記浴槽体内に充填させて砂風呂となし、
当該砂風呂の混合砂を前記加熱手段で人工的に適温に温めて、当該砂風呂利用者に温熱作用を与えるとともに、麦飯石と天然砂が有するミネラル成分や無機質成分の物理的吸着作用と化学的吸着作用と遠赤外線放射作用とマイナスイオン発生作用とを与えることにより、当該砂風呂利用者の生理活性と細胞活性を促進し健康維持するようにしたことを特徴とする温熱砂風呂装置。
【請求項３】
前記加熱手段は、浴槽体内の底部又はその近傍に電気温熱体と温熱空気又はスチーム噴出式温熱配管と、必要に応じて畜熱材を装備しているとともに、
浴槽体の底部には、浴槽体内への注入口と浴槽体外への排水口とが設けてあり、砂粒洗浄水が注入口から水圧を伴って注入され，収納されている混合砂を洗浄したうえ、排水口から砂粒洗浄水が汚れとともに浴槽体外へ排出されるようにした砂粒加湿・洗浄手段を設けたことを特徴とする請求項１又は請求項２に記載する温熱砂風呂装置。
【請求項４】
ＦＲＰ製の浴槽体を、ほぼシングルベット若しくはセミダブルベット又はダブルベットの幅と長さの寸法に、またその深さはほぼ５５０ｍｍ〜８００ｍｍの寸法に形成したうえ、浴槽体内の底部又はその近傍に加熱手段を設けるとともに、前記浴槽体の底部には、注入口と排水口とからなる砂粒加湿・洗浄手段が設けられており、更に当該浴槽体の下部には、任意に移動と停止が可能なキャスターを装備したことを特徴とする請求項１又は請求項２に記載する簡易移動式温熱砂風呂装置。
【発明の詳細な説明】
【技術分野】
【０００１】
麦飯石は、人間は勿論、動物や植物等の生体に対して成長を促進したり、病気になりにくい健体をつくる働きを持っている生理活性作用を有している石薬とされている。本発明は、この石薬の一種として知られている麦飯石を砂粒として利用した温熱砂風呂装置を提供し、天然温泉と同等或いはそれ以上の健康維持効果・薬効効果を発揮させる砂風呂を提供せんとするものである。
【背景技術】
【０００２】
古来、地球の表面を構成している代表的な岩石である花崗岩の一部には、動物や植物等の生体に対して成長を促進したり、病気になりにくい健体をつくる働きを持っている、いわゆる生理活性作用をもっていることが知られている。中国では、後漢の時代に著された漢方薬最古の専門書といわれる「神農本草経」に、石薬として、各種の鉱石の薬効が記載されている。現在でも漢方薬の原典として使用されている中国の薬学書「本草綱目」や「中国薬学大辞典」には１３３種類もの石薬が記載されている。
【０００３】
麦飯石は、その石薬の一種であり、前記「本草綱目」には、「性質は甘、温、無毒で皮膚に吹き出すすべてのよう腫、しょう腫に効き目がある。」と記載されている。勿論その後の研究で、麦飯石には、皮膚病に限らず、水虫、湿疹、あせも、かぶれ、おでき、吹出物、にきび、しみ、そばかす、虫さされ、火傷、痔、止血、痛み止め、荒れ症、しもやけ、神経痛、腰痛、肩こり、胃酸過多、冷え症、乳腺炎、肝臓、腎臓、糖尿病、膀胱炎、高血圧、便秘等に薬効があることが解っている。しかも、この麦飯石は、多孔質かつ多物質（元素や化合物）で構成されており、各物質が溶出し易く、緩衝能も大きい。麦飯石は、以上のような特長がある。
【０００４】
このような麦飯石の薬効を利用する方法は、従来大別して２つある。それは、高い熱を当てずに水を作用させたうえその抽出液を利用する方法と、麦飯石をそのまま利用する方法とである。従来は例えば、前者の方法は、水を麦飯石と接触させてミネラルウォーターをつくったり、浴槽に入れる家庭温泉剤に混入したり、養殖池に麦飯石を投入したりする方法であり、後者の方法としては粉末にして家畜の飼料に混ぜたり、肥料のなかに混入したりする使い方がなされていた。しかし、これを砂粒状にして砂風呂に利用するとの発想はなかった。
【発明の開示】
【発明が解決しようとする課題】
【０００５】
前記のように、麦飯石は岩石であり、そのままでは取り扱いが難しい。取り扱いが容易な大きさに砕石したり粉末にしたうえ、水を作用させその抽出液を利用する方法が主体であった。しかし、水に溶出した成分だけの薬効であるうえ、水で薄められるのでいまひとつその薬効効果が顕著でなく、あまり有効な利用がされていないというのが現状である。
【０００６】
本発明者は、このような麦飯石の薬効をより有効に発現させる方法と利用形態はないか等について研究した結果、麦飯石を砂粒状（麦飯石砂）として取り扱い易く、しかも利用者に接触する効率の高い砂風呂として利用することを思いついた。
【０００７】
従来の砂風呂は、日本各地に多数存在するが、その砂風呂の砂粒は、海岸の砂、サンゴ礁の海砂、川砂等の天然砂を使う事が多く、人工的な砂としては、遠赤外線を放射するセラミック砂（特開平８−３３６５６９号公報、特開平９−３１３５６５号公報）や、砂粒を銀メッキコーティングした砂、塩をブレンドする砂等が利用されているだけである。このように人工砂を用いるは、砂風呂の場合、利用による砂の汚れを考慮して、殺菌性を持たせるようにするだけであった。
【０００８】
本発明は、前述したように麦飯石が有する前記の薬効作用を利用者の身体に可及的に発現するために、麦飯石を砂粒となし，この砂の中に全身を沈める砂風呂にし、しかも、この麦飯石砂風呂を温めて、当該砂風呂利用者に温熱作用を与えるとともに、麦飯石と天然砂が有するミネラル成分や無機質成分の物理的吸着作用と化学的吸着作用と遠赤外線放射作用及びマイナスイオン発生作用を与えることにより、当該砂風呂利用者の生理活性と細胞活性を促進し、これまで以上に健康を維持することができるということが解った。即ち、本発明は、麦飯石の薬効作用と温熱作用とを組み合せることにより、利用者に麦飯石の薬効をこれまで以上に有効に発現させ、生理作用の活性化と病気になりにくい健体をつくる作用を相乗的に促進するものである。
【課題を解決するための手段】
【０００９】
特許を受けようとする第１発明は、ヒーターや温水や熱風など人工的に温めることのできる加熱手段を備えた浴槽体内に、砂状又は粒状にした麦飯石を天然砂と混合した混合砂を充填させて砂風呂となし、当該砂風呂の混合砂を前記加熱手段で人工的に適温に温めて、当該砂風呂利用者に温熱作用を与えるとともに、麦飯石と天然砂が有するミネラル成分や無機質成分の物理的吸着作用と化学的吸着作用と遠赤外線放射作用とマイナスイオン発生作用とを与えることにより、当該砂風呂利用者の生理活性と細胞活性を促進し健康維持するようにしたことを特徴とする温熱砂風呂装置である。
【００１０】
特許を受けようとする第２発明は、ヒーターや温水や熱風など人工的に温めることのできる加熱手段を備えた浴槽体内に花崗岩質ペグマタイトのうち石英斑岩であって、その石灰岩質から解離された炭酸ガスが、熱水溶液とともに低変性条件下で作用することにより、珪酸塩鉱物の一部が、方解石・ドロマイト・菱鉄鉱などの炭酸塩鉱物に交代された岩石を砂状または粒状に砕石してなる砂岩と、天然砂とを混合してなる混合砂を、前記浴槽体内に充填させて砂風呂となし、当該砂風呂の混合砂を前記加熱手段で人工的に適温に温めて当該砂風呂利用者に温熱作用を与えるとともに、麦飯石と天然砂が有するミネラル成分や無機質成分の物理的吸着作用と化学的吸着作用と遠赤外線放射作用とマイナスイオン発生作用とを与えることにより、当該砂風呂利用者の生理活性と細胞活性を促進し健康維持するようにしたことを特徴とする温熱砂風呂装置である。
【００１１】
特許を受けようとする第３発明は、前記加熱手段が、浴槽体内の底部又はその近傍に電気温熱体と温熱空気又はスチーム噴出式温熱配管と、必要に応じて畜熱材を装備しているとともに、浴槽体の底部には、浴槽体内への注入口と浴槽体外への排水口とが設けられてあり、砂粒洗浄水が注入口から水圧を伴って注入され、収納されている浴槽内の混合砂を洗浄したうえ、排水口から砂粒洗浄水が汚れとともに浴槽体外へ排出されるようにした砂粒加湿・洗浄手段を設けたことを特徴とする第１発明又は第２発明に記載する温熱砂風呂装置である。
【００１２】
特許を受けようとする第４発明は、ＦＲＰ製の浴槽体を、ほぼシングルベット若しくはセミダブルベット又はダブルベットの幅と長さの寸法に、またその深さはほぼ５５０ｍｍ〜８００ｍｍの寸法に形成したうえ、浴槽体内の底部又はその近傍に加熱手段を設けるとともに、前記浴槽体の底部には、注入口と排水口とからなる砂粒加湿・洗浄手段が設けられており、更に当該浴槽体の下部には、任意に移動と停止が可能なキャスターを装備し、前記浴槽内には、前記混合砂を充填したことを特徴とする第１発明又は第２発明に記載する簡易移動式温熱砂風呂装置である。
【００１３】
前記のように、本願発明は、利用者の生理活性と細胞活性を促進し健康維持することのできる温熱砂風呂装置である。以下は，当該温熱砂風呂装置の構成や特徴を詳細に説明する。
【００１４】
まず、ここに、麦飯石というのは、花崗岩質ペグマタイトのうち石英斑岩であって、その珪酸塩鉱物の一部が、石灰岩質から解離された炭酸ガスが、熱水溶液とともに低変性条件下で作用することにより、方解石・ドロマイト・菱鉄鉱などの炭酸塩鉱物に交代されたものの一種とされている。麦飯石の場合は、斑晶長石の一部が炭酸塩鉱物である方解石ＣａＣｏに変質している点に特徴がある。また麦飯石の場合は、花崗岩質ペグマタイトのうち石英斑岩がこのように変質し炭酸化作用をうけていることに特徴がある。当該炭酸化作用は花崗岩が通常の状態では起こりえず、巨大なエネルギーと圧力が日本列島の形成期から地殻変動の活発な時期に、産地一帯に集約されて麦飯石が出来たものと考えられている。
【００１５】
また、麦飯石と同様の構成の石とは、花崗岩質ペクマタイトのうち石英斑岩であって、その珪酸塩鉱物の一部が、石灰岩質から解離された炭酸ガスが、熱水溶液とともに低変性条件下で作用することにより、方解石・ドロマイト・菱鉄鉱などの炭酸塩鉱物に交代されたものをいう。これは麦飯石における炭酸化作用といわれるものであり、大きな特徴である。かつて地下に湧き出した鉱泉がこの斑岩中を浸透し、親戚したためにこのような炭酸化がおこなわれたものと推測される。すなわち、多物質で構成の花崗岩質ペグタイトのうち石英斑岩で多孔質構造をもって構成されている石をいう。麦飯石のこのような多孔湿構造という性質が、「ミネラル溶出」「物理的及び化学的活性吸着作用」「イオン交換」を起こすものと考えられる。
【００１６】
従って、第１発明は、麦飯石を利用した砂風呂装置であり、第２は麦飯石と同様の構成の石を利用した砂風呂装置である。その作用効果は、ほとんど変わりがないことも解った。
【００１７】
この麦飯石には、次のような特徴がある。
ａ）麦飯石は、２５０００種類以上の多物質で構成されている。一般の花崗岩は、あまり多くない物質（元素や化合物）でできている。比較的多物質でできている花崗岩の場合でも、その一つ一つの物質が比較的少ない含有量で構成されている。しかるに、麦飯石の場合は、多物質で構成されているうえ、そのうちのいくつかの物質の含有量が極めて多いという特殊な形をもっている。
【００１８】
図１に示したチャートは、粉末法Ｘ線回析法で麦飯石の成分を分析したものである。これによると、麦飯石は、実に２５０００種類以上の物質で成り立っており、ところどころにあるピークは、他の石にはみられない現象で、このへんに麦飯石の働きのカギがあるといわれている。麦飯石に含まれている主な成分は、表１に示した通りである。
【００１９】
【表１】
2005334434.tif 000003
【００２０】
ｂ）麦飯石は、水と接触し作用することにより良質ミネラルを溶出し、水をミネラル活性水にする。麦飯石の成分が多物質であるということは、そこを通って流れ出る水が良質のミネラルを含んでいる。蒸留水１リットル中に麦飯石の粉末０．０６ｇを投入したときのミネラルの溶出分析結果は、表２の通りである。当該ミネラルすなわち、無機元素は、動植物細胞の浸透圧、ｐＨ等の調整に密接に関与するが、特に微量元素は、動植物の生理学的に活性な化合物（酵素、ビタミン、ホルモン等）の成分をなし、細胞内の代謝過程にとって重要な意義をもっている。これらの化合物の合成ならびに作用機構において、微量元素は大きな影響を及ぼしており、微量元素の遊離物質や有機分子との化合物の種類は生体機能の性質を特徴づけることになる。
【００２１】
【表２】
2005334434.tif 000004
【００２２】
ｃ）麦飯石には、触媒作用があり、化学反応が促進される。特に、多物質構成だから触媒能を高める。触媒能が高まるということは、その物質の周囲を反応の場にかえる力があるということである。鉄、チタン、動、マンガン、亜鉛、パナジュウム等を含有するから有機物を酸化し分解する作用を示す。多物質構成の麦飯石では「元素間親和力」が強くなり、物理的に吸着されるし、残りの有害物質は、多孔質内面に存在する元素あるいは元素化合物と二次的に反応し、「元素間親和力」によって化学的吸着が行われる。
【００２３】
ｄ）麦飯石は、多孔質構造をもっており、これが物理的吸着作用（ファンデワールス吸着）、化学的吸着作用（ケミソープション）を促進する。麦飯石は、その出来るときの炭酸化作用によって、炭酸塩鉱物の溶出が起こり晶出する。その溶け出した跡が無数の孔となって多孔質を形成する。この多孔質化により鉄イオン、水酸イオン、色素、細菌類を吸着する。しかも多孔質構造は、表面積が大きくなるところから、気体や液体から特別の成分を多量に吸着させることができる。
【００２４】
このような麦飯石の強い吸着力は、放射能から農薬までに及び、例えば、水銀イオン、シアンイオン、クロム酸イオン、カドミウムイオン、フッ素イオン、活性塩素など多事にわたっており、更に細菌類の吸着も好結果を示している。このため、当該麦飯石は、単なる吸着作用だけでなく、分解作用も併せもっているのである。
【００２５】
ｅ）麦飯石は、多物質であるにもかかわらず、ラジウム、ウラン、トリウム等の放射性物質を殆ど含んでおらず、安全性が高いものである。このことは、次のような放射能試験により明らかである。麦飯石の粉末（メッシュ２００）を２００ｍｇステンレス製資料皿に一様に広げてβ線をアロカＴＤＣー１型計測器で測定し、γ線をテンＳＡ−１０００型計測器で測定した。その測定は使用電圧（ＨＶ）１２００Ｖに於いて、それぞれ５分間のカウント数を測定し、各３回について計測を行った。その結果は、β線測定結果は表３、γ線測定結果は表４の通りである。
【００２６】
【表３】
2005334434.tif 000005
【００２７】
【表４】
2005334434.tif 000006
【００２８】
尚、この試験のカウント数は、バックグランドのカウント数との差がなく、計測される数値は、極めて過小値であり、計測器の係数効率を考慮しなくても麦飯石は自然賦存する放射能が認められず、放射能障害防止に関する法律施行令の規定０．００２マイクロキューリ／ｇ以下であり、安全である。
【００２９】
麦飯石が昔から石薬として動物や植物等の生体に対して成長を促進したり、病気になりにくい健体をつくる働きを持っているとされているのは、上記のような麦飯石の特長に起因することが解ってきた。
【００３０】
例えば、麦飯石は水と接触することにより良質ミネラルを溶出し、水をミネラル活性水にする。当該天然の多元素ミネラルのもとでは、物質代謝は活発に行われることから、水を良質のミネラルウォターの味を良くし、肝機能を促進したり、酸化した体液や血液を弱アルカリ性に中和して、肩こり、疲れ易さ、便秘がち、吹出物が出やすい、風邪を引き易いなどの体質を改善する。また、農業生産においては、優良種子の保存、良品質かつ多収技術の確立に役立つものである。
【００３１】
また、長石の部分が風化してカオリン状になっていること等から物理的吸着作用（ファンデワールス吸着）、化学的吸着作用（ケミソープション）がなされるものと考えられ、これが消炎作用をなし、これによって痛み止め効果を発揮すると考えられる。
【００３２】
また、水虫、かぶれ、おでき、吹出物、にきび等は麦飯石の吸着力とミネラルによる細胞賦活作用、消炎作用等の結果として早期治癒が可能になる。更に、内科的効果にみられる肝臓病や胃腸病の好転は、胃粘膜の保護作用と非常によくあたたまることによって、身体の新陳代謝が高まり、胃腸機能が活発になるところからもたらされるものである。肝臓の場合は、グルターロン酸の生産拡大、胆汁の分泌が盛んになって、血液の浄化が促進されることにより病状が好転すると考えられる。糖尿病の場合も身体のあたたまりに依って、血糖の燃焼がさかんになるため、尿中の糖が減り、膵臓のランゲルハンス島細胞の賦活により、インシュリンの分泌がふえるという機能回復が原因になって、好転するものと考えられる。
【００３３】
また、「磁性がすべての物質に存在し、それらの化学的性質や構造と密接な関係がある。」ことは、ファラディーに依って明らかにされているが、生物も地球磁場をはじめとして、磁界の中で生まれ進化してきたものである。従って磁気が生体の生理活性に様々な影響を与えていることは知られている。特に近年、適度な強さをもった磁力線は、血行を良くし、腰痛、肩こり、冷え症などに改善効果があるとして、磁石を利用した治療具等が開発され、商品化している。発明者は、前記石薬である麦飯石およびこれと同様な岩石と、前記磁石とを併用してみたところ、麦飯石およびこれと同様な岩石が持っている生理活性効果や薬効が、磁気によって相乗的に発現することを見出した。
【００３４】
本発明は、このように様々な薬効作用のある麦飯石を用いた砂風呂となし、更にこの麦飯石砂を温めることができるようにして、温熱作用効果と組み合せることにより、当該砂風呂利用者の生理活性と細胞活性をこれまで以上に有効に発現させ、生理作用の活性化と病気になりにくい健体をつくる作用を相乗的に促進するものである。
【発明の効果】
【００３５】
本願発明にかかる温熱砂風呂は、麦飯石の砂と天然砂とを混合した混合砂を用いるか、または花崗岩質ペグマタイトのうち石英斑岩であって、その石灰岩質から解離された炭酸ガスが、熱水溶液とともに低変性条件下で作用することにより、珪酸塩鉱物の一部が、方解石・ドロマイト・菱鉄鉱などの炭酸塩鉱物に交代された岩石を砂状または粒状に砕石してなる鉱石砂と天然砂との混合砂である。
【００３６】
これら麦飯石やこれに近似した構成の岩石は、多物質で構成されているうえ、炭酸化作用をうけて多孔質構造となっていることから、ミネラル成分の溶出が多い。また、無機質成分の物理的吸着作用と化学的吸着作用が強く発現し、遠赤外線放射作用とマイナスイオン発生作用が生じるという特徴がある。このような特徴を有する混合砂の中に身体を沈め、砂風呂として身体に直接混合砂を接触させることによって、生理活性と細胞活性を有効に発現させ、生理作用の活性化と病気になりにくい健体をつくることができる。
【００３７】
特に、利用者が本発明にかかる温熱砂風呂に入ることにより、混合砂が有する豊富なミネラル成分を皮膚を通して吸収させることができ、これによって、皮膚に養分と潤いを与え、細胞活性を促進して若さを維持させることができるのである。
【００３８】
また、混合砂が身体に直接接触するだけで、遠赤外線放射作用や物理的・化学的吸着作用により肩こりや腰痛、筋肉疲れを解消し、消炎作用を発揮するし、本発明に係る成形体を身体に接触するだけで、身体の発汗作用を促進させ、新陳代謝を良くし、内科的にも健康を促進させることができる。
【００３９】
更に、当該砂風呂の混合砂を前記加熱手段で人工的に適温に温めて、当該砂風呂利用者に温熱作用を与えることにより、砂風呂利用者の生理活性と細胞活性を促進するが、そのような状態で、更に麦飯石と天然砂が有するミネラル成分や無機質成分の物理的吸着作用と化学的吸着作用と遠赤外線放射作用とマイナスイオン発生作用が付与されると、当該砂風呂利用者の生理活性と細胞活性が相乗的に促進し、これまで以上に健康体を造ったり、維持したり、回復したりすることが出来る。
【００４０】
尚、砂風呂の主原料を、花崗岩質ペグマタイトのうち石英斑岩であって、その石灰岩質から解離された炭酸ガスが、熱水溶液とともに低変性条件下で作用することにより、珪酸塩鉱物の一部が、方解石・ドロマイト・菱鉄鉱などの炭酸塩鉱物に交代された岩石を砂状または粒状に砕石してなる鉱石砂にした場合も、麦飯石とほぼ同じ作用効果があることが解った。
【発明を実施するための最良の形態】
【００４１】
以下、本発明にかかる温熱砂風呂装置を図示実施例に基づいて説明する。
図１は、本発明に係る温熱砂風呂装置の実施例の構成を示す縦断側面図であり、図２は、同温熱砂風呂装置から混合砂を除いた時の状態を示す断面平面図である。
【００４２】
本発明は、ヒーターや温水や熱風など人工的に温めることのできる加熱手段を備えた浴槽体１内に、砂状又は粒状にした麦飯石を天然砂と混合した混合砂Ａを充填させて砂風呂となし、当該砂風呂の混合砂Ａを前記加熱手段３で人工的に適温に温めて、当該砂風呂利用者に温熱作用を与えるとともに、麦飯石と天然砂が有するミネラル成分や無機質成分の物理的吸着作用と化学的吸着作用と遠赤外線放射作用とマイナスイオン発生作用とを与えることにより、当該砂風呂利用者の生理活性と細胞活性を促進し健康維持するようにしたことを特徴とする温熱砂風呂装置である。
【００４３】
図中１は、ＦＲＰ製で天井開口状の箱型浴槽体で、その浴槽体１は、平面形状が、ほぼシングルベッド若しくはセミダブルベット又はダブルベットの幅と長さの寸法に形成されており、またその深さはほぼ５５０ｍｍ〜６５０ｍｍの寸法に形成されている。なお、当該浴槽体１の周壁の芯部には、断熱材２が埋設されている。
【００４４】
また、当該浴槽体１内の底部又はその近傍には、加熱手段３が設けられている。当該加熱手段３には、電熱式、油熱式、蒸気熱式など種々考えられるが、図示実施例の加熱手段３の場合には、浴槽体１内の底部に電熱式のヒーターが内装されている発熱体シート３ａが敷設されているとともに、その少し上方に、充填される砂を温めるための温熱配管３ｂが配設されており、当該温熱配管３ｂには、ブロア−やボイラー等の集中加熱機から高温水、高温蒸気、高温空気等を送込むことが出来るように構成されている。
【００４５】
図示実施例の場合は、浴槽体１の周壁下部に発熱体シート３ｄと温熱配管３ｂを併用して設けた実施例である。発熱体シート３ｄは、ホットカーペットのように底部分から砂を全面に渡って温める事が出来る。同時に当該温熱配管３ｂには、小さな吹出し孔が多数穿設されており、その基部にはブロアー３ｃが設けられている。そして、ブロアー３ｃから高温の空気が温熱配管３ｂ内に圧送され、温められた温熱配管３ｃからの輻射熱で周囲の砂Ａを柔らかに温めるとともに、温熱配管３ｂの小さな吹出し口から高温の空気が吹出され、その高温空気によって充填されている混合砂Ａを効率良く適温に温めることが出来る。このように二重の加熱手段を設ける事により、状況に合わせて、時には急速に、時には柔らかに温めることができる。
【００４６】
また、前記浴槽体１の底部には、注入口４ａと排水口４ｂとからなる砂粒加湿・洗浄手段４が設けられており、汚れた砂を洗ったり、加湿したりすることができる。これによって、充填されている混合砂Ａの汚れを除去しその清潔さを保って、繰り返し使用できるようになる。また、混合砂Ａを加湿することにより、その乾燥を防ぎ、利用者の肌に潤いを与えることができる。
【００４７】
更に、当該浴槽体１の下部には、任意に移動と停止が可能なキャスター５を装備し、前記浴槽１内には、前記混合砂Ａを充填したことを特徴とする簡易温熱砂風呂装置である。当該装置には、任意に移動と停止が可能なキャスターを装備しているので、取り扱いが便利であり、治療所や老人ホームや、一般家庭でも容易に使用できるようにしたものである。
【００４８】
本発明の最も大きな特徴は、麦飯石（類似する岩石を含む）を天然砂と混合した混合砂Ａを適温に温めるようにした点にある。即ち、発明の構成としては、ヒーターや温水や熱風など人工的に温めることのできる加熱手段３を備えた浴槽体１内に、砂状又は粒状にした麦飯石を天然砂と混合した混合砂Ａを充填させて砂風呂となし、当該砂風呂の混合砂Ａを前記加熱手段３で人工的に適温に温めて、当該砂風呂利用者に温熱作用を与えるようにした点にある。
【００４９】
本発明の作用としては、その使用する混合砂Ａを麦飯石と天然砂の混合砂にすることによって、豊富なミネラル成分が溶出されることと、無機質成分から物理的吸着作用と化学的吸着作用が生ずることと、鉱物質から遠赤外線放射作用とマイナスイオン発生作用とを、得ることができる。
【００５０】
特に、本発明の場合、混合砂Ａが発生させる上記の作用、効果は、前記温熱作用との相乗効果によって増幅され、当該砂風呂利用者の生理活性と細胞活性をより促進し健康維持することができるようになった。
【００５１】
尚、本発明に使用する混合砂Ａを、麦飯石と天然砂との混合物に変えて、花崗岩質ペグマタイトのうち石英斑岩であって、その石灰岩質から解離された炭酸ガスが、熱水溶液とともに低変性条件下で作用することにより、珪酸塩鉱物の一部が、方解石・ドロマイト・菱鉄鉱などの炭酸塩鉱物に交代された岩石を砂状または粒状に砕石してなる砂岩と、天然砂とを混合してなる混合砂に変更した場合でも、ミネラル成分の溶出、無機質成分の物理的吸着作用や化学的吸着作用、遠赤外線放射作用とマイナスイオン発生作用を与えることができることが解った。
【００５２】
【表５】
2005334434.tif 000007
【００５３】
当該表５は、麦飯石の近似岩石における金属成分定量分析結果を示す表である。ＩＣＰ発行分光分析装置により、分析したものである。
【００５４】
【表６】
2005334434.tif 000008
【００５５】
当該表６は、麦飯石の近似岩石における溶存物質の定量分析結果を示す表である。これは、ＩＣＰ発行分光分析装置と原子吸光光度計により定量分析したものである。
【００５６】
【表７】
2005334434.tif 000009
【００５７】
当該表７は、麦飯石の近似岩石における陰イオン定量分析結果を示す表である。これは、イオンクロマトグラフ装置により分析した結果である。
【００５８】
これらの試験結果から、麦飯石の近似岩石には、麦飯石とほぼ同様の溶存物質がふくまれており、同じようなミネラル成分の溶出、無機成分の物理的吸着作用や化学的吸着作用、遠赤外線放射作用があることが解った。
【図面の簡単な説明】
【００５９】
【図１】本発明に係る温熱砂風呂装置の実施例の構成を示す縦断側面図である。
【図２】温熱砂風呂装置から混合砂を除いた時の状態を示す断面平面図である。
【符号の説明】
【００６０】
１：浴槽体
２：断熱材
３：加熱手段
３ａ：発熱体シート
３ｂ：温熱配管
３ｃ：ブロアー
４：加湿・洗浄手段
４ａ：注入口
４ｂ：排水口
５：キャスター
Ａ：混合砂
【図１】
2005334434.tif 000010
【図２】
2005334434.tif 000011